【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
複数のコンテンツを、複数のグループ化条件でそれぞれグループ化して並べた複数のコンテンツグループ配列から、それぞれの配列に対応する、各配列の少なくとも一部のコンテンツグループに対応するコンテンツグループアイコンの配列をそれぞれ生成し、該複数のコンテンツグループアイコンの配列に基づいて表示画面を生成する表示画像制御装置であって、
前記複数のコンテンツグループアイコンの配列各々に対応するコンテンツグループアイコンをそれぞれ並べて表示するための表示画面を生成する表示画面生成手段を有し、
前記表示画面生成手段は、前記複数のコンテンツのうち１つのコンテンツを基準コンテンツとし、該基準コンテンツを含む１つのグループ化条件と他のグループ化条件とを該基準コンテンツによって関連付けて表示することを特徴とする表示画像制御装置。
【請求項２】
前記表示画面生成手段は、前記基準となるコンテンツを含むコンテンツグループのコンテンツグループアイコンを、その他のコンテンツグループアイコンと外観上区別できるように表示画面を生成することを特徴とする請求項１に記載の表示画像制御装置。
【請求項３】
前記表示画面生成手段は、基準となるコンテンツグループアイコン配列が存在し、前記基準となるコンテンツグループアイコン配列を、その他のコンテンツグループアイコン配列と外観上区別できるように表示画面を生成することを特徴とする請求項１に記載の表示画像制御装置。
【請求項４】
前記表示画面生成手段は、基準となるコンテンツグループアイコン配列が存在し、前記基準となるコンテンツグループアイコン配列内の前記基準となるコンテンツを含むコンテンツグループのコンテンツグループアイコンを、その他のコンテンツグループアイコン配列内の前記基準となるコンテンツを含むコンテンツグループのコンテンツグループアイコンと外観上区別できるように表示画面を生成することを特徴とする請求項１に記載の表示画像制御装置。
【請求項５】
前記表示画面生成手段は、前記コンテンツグループを代表するコンテンツを示すコンテンツグループアイコン内の画像を、コンテンツグループ内の他のコンテンツを示すコンテンツグループアイコン内の画像と外観上区別できるように表示画面の画像データを生成し、前記基準となるコンテンツを含むコンテンツグループにおいては、コンテンツグループを代表するコンテンツを前記基準コンテンツになるように設定することを特徴とする請求項１に記載の表示画像制御装置。
【請求項６】
前記関連付けて表示は前記基準アイコン以外は非表示であることを特徴とする請求項１に記載の表示画像制御装置。
【請求項７】
動画を含む複数のコンテンツを、複数の順序条件でそれぞれ並べた複数のコンテンツ配列の、それぞれの配列に対応する、各配列の少なくとも一部のコンテンツに対応するコンテンツアイコンの配列をそれぞれ生成し、該複数のコンテンツアイコンの配列に基づいて表示画面を生成する表示画像制御装置であって、
前記コンテンツアイコンが動画を示す場合、複数のフレームアイコンから構成され、前記コンテンツアイコンの複数の配列各々に対応するコンテンツアイコンをそれぞれ並べて表示するための表示画面を生成する表示画面生成手段を有し、
前記表示画面生成手段は、任意の前記配列の前記アイコン及び前記フレームアイコンのうち一つを基準アイコンとし、該基準コンテンツを含む１つの順序条件と他の順序条件とを該基準コンテンツによって関連付けて表示することを特徴とする表示画像制御装置。
【請求項８】
前記表示画面生成手段は、前記基準アイコンを外観上区別できるように表示画面を生成することを特徴とする請求項７に記載の表示画像制御装置。
【請求項９】
前記コンテンツアイコンへの処理は、少なくとも再生、削除、プレイリストに追加の何れかの処理であることを特徴とする請求項７に記載の表示画像制御装置。
【請求項１０】
前記コンテンツアイコンへの処理は、前記動画コンテンツ内の選択された前後の範囲に対して行われることを特徴とする請求項７に記載の表示画像制御装置。
【請求項１１】
複数のコンテンツにそれぞれ対応付けられた複数のコンテンツアイコンを表示するコンテンツ表示装置であって、
前記コンテンツアイコンを任意の順序に従って第１の方向に並べてアイコン配列として表示する第１の表示手段と、
前記アイコン配列のうちの基準となるコンテンツに対応付けられたコンテンツアイコンの複製イメージを生成し、該複製イメージを前記第１の方向と異なる第２の方向に沿って移動させ、前記複製イメージを中心にコンテンツアイコンを前記第１の方向に沿って外側へ順次配置させてアイコン配列を生成する様子を表示する第２の表示手段とを有することを特徴とするコンテンツ表示装置。
【請求項１２】
前記第１の表示手段は、前記基準となるコンテンツアイコンをユーザが外観上識別可能に表示することを特徴とする請求項１１に記載のコンテンツ表示装置。
【請求項１３】
前記第１及び第２の表示手段は、前記基準となるコンテンツアイコンを含むコンテンツグループのアイコン配列を表示することを特徴とする請求項１１に記載のコンテンツ表示装置。
【請求項１４】
複数のコンテンツを、複数のグループ化条件でそれぞれグループ化して並べた複数のコンテンツグループ配列から、それぞれの配列に対応する、各配列の少なくとも一部のコンテンツグループに対応するコンテンツグループアイコンの配列をそれぞれ生成し、該複数のコンテンツグループアイコンの配列に基づいて表示画面を生成する表示画像制御装置の表示方法であって、
前記複数のコンテンツグループアイコンの配列各々に対応するコンテンツグループアイコンをそれぞれ並べて表示するための表示画面を生成する表示画面生成工程を有し、
前記表示画面生成工程は、前記複数のコンテンツのうち１つのコンテンツを基準コンテンツとし、該基準コンテンツを含む１つのグループ化条件と他のグループ化条件とを該基準コンテンツによって関連付けて表示することを特徴とする表示画像制御装置の表示方法。
【請求項１５】
動画を含む複数のコンテンツを、複数の順序条件でそれぞれ並べた複数のコンテンツ配列の、それぞれの配列に対応する、各配列の少なくとも一部のコンテンツに対応するコンテンツアイコンの配列をそれぞれ生成し、該複数のコンテンツアイコンの配列に基づいて表示画面を生成する表示画像制御装置の表示方法であって、
前記コンテンツアイコンが動画を示す場合、複数のフレームアイコンから構成され、前記コンテンツアイコンの複数の配列各々に対応するコンテンツアイコンをそれぞれ並べて表示するための表示画面を生成する表示画面生成工程を有し、
前記表示画面生成工程は、任意の前記配列の前記アイコン及び前記フレームアイコンのうち一つを基準アイコンとし、該基準コンテンツを含む１つの順序条件と他の順序条件とを該基準コンテンツによって関連付けて表示することを特徴とする表示画像制御装置の表示方法。
【請求項１６】
複数のコンテンツにそれぞれ対応付けられた複数のコンテンツアイコンを表示するコンテンツ表示装置の表示方法であって、
前記コンテンツアイコンを任意の順序に従って第１の方向に並べてアイコン配列として表示する第１の表示工程と、
前記アイコン配列のうちの基準となるコンテンツに対応付けられたコンテンツアイコンの複製イメージを生成し、該複製イメージを前記第１の方向と異なる第２の方向に沿って移動させ、前記複製イメージを中心にコンテンツアイコンを前記第１の方向に沿って外側へ順次配置させてアイコン配列を生成する様子を表示する第２の表示工程とを有することを特徴とするコンテンツ表示装置の表示方法。
【手続補正２】
【補正対象書類名】明細書
【補正対象項目名】００１１
【補正方法】変更
【補正の内容】
【００１１】
本発明は、複数のコンテンツを、複数のグループ化条件でそれぞれグループ化して並べた複数のコンテンツグループ配列から、それぞれの配列に対応する、各配列の少なくとも一部のコンテンツグループに対応するコンテンツグループアイコンの配列をそれぞれ生成し、該複数のコンテンツグループアイコンの配列に基づいて表示画面を生成する表示画像制御装置であって、前記複数のコンテンツグループアイコンの配列各々に対応するコンテンツグループアイコンをそれぞれ並べて表示するための表示画面を生成する表示画面生成手段を有し、前記表示画面生成手段は、前記複数のコンテンツのうち１つのコンテンツを基準コンテンツとし、該基準コンテンツを含む１つのグループ化条件と他のグループ化条件とを該基準コンテンツによって関連付けて表示することを特徴とする。
【手続補正３】
【補正対象書類名】明細書
【補正対象項目名】００１２
【補正方法】変更
【補正の内容】
【００１２】
また、本発明は、動画を含む複数のコンテンツを、複数の順序条件でそれぞれ並べた複数のコンテンツ配列の、それぞれの配列に対応する、各配列の少なくとも一部のコンテンツに対応するコンテンツアイコンの配列をそれぞれ生成し、該複数のコンテンツアイコンの配列に基づいて表示画面を生成する表示画像制御装置であって、前記コンテンツアイコンが動画を示す場合、複数のフレームアイコンから構成され、前記コンテンツアイコンの複数の配列各々に対応するコンテンツアイコンをそれぞれ並べて表示するための表示画面を生成する表示画面生成手段を有し、前記表示画面生成手段は、任意の前記配列の前記アイコン及び前記フレームアイコンのうち一つを基準アイコンとし、該基準コンテンツを含む１つの順序条件と他の順序条件とを該基準コンテンツによって関連付けて表示することを特徴とする。